(57)【要約】      （修正有）【課題】簡単な構造でありながら組立強度を高めることができる組立式ゆりかごを提供する。【解決手段】複数のボード状のパネルを掛け止めて成形される組立式ゆりかご１において、側板パネル２に形成された貫通孔に連結板パネル５の切欠部を嵌め込んだ際に生じる貫通孔の空間に略隙間なく嵌合する挿入片部と、該挿入片部の先端で第１掛止孔の前記空間より長く延びる抜止片部とからなるストッパ片６を設けて、前記貫通孔に挿入された連結板パネルの突出片とストッパ片の抜止片部とを拘束して組立てられることを特徴とする。側板パネルにはゆりかごを使用する嬰児の名前、誕生日、メッセージなどを記入する表示部８が設けられている。【選択図】図１
0003174775.tif 000002
【実用新案登録請求の範囲】
【請求項１】
複数のボード状のパネルを掛け止めて成形される組立式ゆりかごにおいて、
底辺が円弧状に形成された左右一対の側板パネル２と、
該一対の側板パネル２の間に略水平に介設され、両端が側板パネル２の内壁面に掛止められる底板パネル３と、
該底板パネル３上に載置されるベビーマット７と、
前記一対の側板パネル２の間に縦向きに介設され、両端側が側板パネル２の下部に掛止められ、底面が掛止個所の側板パネルの底面と同一面に設定されて前記底板パネル３を支持する支持板パネル４と、
前記一対の側板パネル２の間に縦向きに介設され、前記底板パネル３の前後を覆うと共に、前記一対の側板パネル２に掛止められる連結板パネル５とからなって、
側板パネル２と連結板パネル５の掛止構造が、側板パネル２に縦向きに延びる長穴状の貫通孔２１が形成され、
連結板パネル５の長手方向の両端側が前記貫通孔２１を挿通可能な長さを有して左右外方へ突出する突出片５１と、該突出片の基端で前記貫通孔の上部または下部に嵌め込まれる切欠部５２とを有しており、
前記貫通孔２１に前記連結板パネルの切欠部５２を嵌め込んだ際に生じる貫通孔の空間２１ａに略隙間なく嵌合する挿入片部６１と、該挿入片部の先端で第１掛止孔の前記空間より長く延びる抜止片部６２とからなるストッパ片６を設けて、前記貫通孔２１に挿入された連結板パネルの突出片５１とストッパ片の抜止片部６２とを拘束して組立てられることを特徴とする組立式ゆりかご。
【請求項２】
側板パネル２の下部に、底面で開口し、底板パネル掛止位置近傍まで延びる掛止溝２３が形成されており、
支持板パネル４の長手方向の両端側に、前記掛止溝左右外方へ突出する突出片４１と、該突出片の基端で前記掛止溝の上部に嵌め込まれる切欠部４２とを有していることを特徴とする請求項１に記載の組立式ゆりかご。
【請求項３】
側板パネル２の外表面に、所望の絵や写真が印刷されると共に、ゆりかごを使用する嬰児の名前、誕生日、メッセージなどを記入する表示部８が設けられていることを特徴とする請求項１または２に記載の組立式ゆりかご。
【請求項４】
側面パネルの貫通孔２１の延長上の上部および下部に、組立時に連結板パネルの突出片及びストッパ片の抜止片部６２が重なって覆われる位置に、掛止完了を示す識別マークＭが表示されていることを特徴とする請求項１から３のいずれかに記載の組立式ゆりかご。
【請求項５】
組立時に、貫通孔２１から外方へ突出する連結板パネルの突出片５１とストッパ片の抜止片部６２とが隙間無く接触しており、該接触位置に内面に粘着面を有し前記突出片と抜止片部とを一連に覆うことができるシールＳを貼付してなることを特徴とする請求項１から４に記載のいずれかに記載の組立式ゆりかご。
【請求項６】
ベビーマット７が展開時中央の上下に切込み部７１、７２が形成されており、該切込み部に沿って２つ折りされると略長方形に折り畳まれ、前記中央下方の切込み部から折畳時の短手辺を経て自由端となる折畳時の長手辺の中途位置までファスナー７３で開閉しうるようになっていることを特徴とする請求項１から５のいずれかに記載の組立式ゆりかご。
【考案の詳細な説明】
【技術分野】
【０００１】
本考案は、複数のパネルを掛け止めて組み立てられる組立式ゆりかごに関する。
【背景技術】
【０００２】
従来、嬰児用揺籃などに使用される家庭用家具として例えば特開平７−１８４７４３号が知られている。
上記構成では、主要枠組体、もたれ板、座席板、握り桿、副座席板、写字板、踏み板（ペダル）などを含み、その中、主要枠組体は二つのお互いに対称の金属製パイプより製成され、主要枠組体の一面は適当な弧型曲面を有し別の一面は適当な凹面を有し、且つ主要枠組体はその両方の内側の相対する適当な位置に複数の大小不同の定位槽を有し、もたれ板及びもたれ板定位槽は該主要枠組体の弧型曲面に近い処に設置され、座席板及び座席板定位槽はもたれ板に直角の位置でもたれ板の下端の位置に設置され、握り桿及び握り桿定位槽は主要枠組体前方の凹面の上下両端の適当な処に別々に設置され、副座席板定位槽及び副座席板は該座席板下方のほぼ中央に近い適当な位置に垂直に設置され、写字板定位槽及び写字板は副座席板末端の弧型曲面側の端に設置され、踏み板定位槽及び踏み板は他方の端付近の適当な位置に設置されている。
しかし、上記構成では多数のパイプや板を必要とし構造も複雑であり、組立や分解が繁雑となるという問題点があった。
また、嬰児が成長した後は、不要となるので、一部の部材でも再使用もされることはなかった。
【先行技術文献】
【特許文献】
【０００３】
【特許文献１】特開平７−１８４７４３号公報
【考案の概要】
【考案が解決しようとする課題】
【０００４】
この考案は上記事情に鑑みて創案されたものであって、その主たる課題は、簡単な構成でありながら組立強度を高めることができる組立式ゆりかごを提供することにある。
また、嬰児が成長した後は側板パネルを記念パネルとして再使用することもできる組立式ゆりかごを提供することにある。
【課題を解決するための手段】
【０００５】
本考案は、上記課題を達成するために、請求項１の考案では、
複数のボード状のパネルを掛け止めて成形される組立式ゆりかごにおいて、
底辺が円弧状に形成された左右一対の側板パネルと、
該一対の側板パネルの間に略水平に介設され、両端が側板パネルの内壁面に掛止められる底板パネルと、
該底板パネル上に載置されるベビーマットと、
前記一対の側板パネルの間に縦向きに介設され、両端側が側板パネルの下部に掛止められ、底面が掛止個所の側板パネルの底面と同一面に設定されて前記底板パネルを支持する支持板パネルと、
前記一対の側板パネルの間に縦向きに介設され、前記底板パネルの前後を覆うと共に、前記一対の側板パネルに掛止められる連結板パネルとからなって、
側板パネルと連結板パネルの掛止構造が、側板パネルに縦向きに延びる長穴状の貫通孔が形成され、
連結板パネルの長手方向の両端側が前記貫通孔を挿通可能な長さを有して左右外方へ突出する突出片と、該突出片の基端で前記貫通孔の上部または下部に嵌め込まれる切欠部とを有しており、
前記貫通孔に前記連結板パネルの切欠部を嵌め込んだ際に生じる貫通孔の空間に略隙間なく嵌合する挿入片部と、該挿入片部の先端で第１掛止孔の前記空間より長く延びる抜止片部とからなるストッパ片を設けて、前記貫通孔に挿入された連結板パネルの突出片とストッパ片の抜止片部とを拘束して組立てられることを特徴とする。
【０００６】
請求項２の考案では、
前記側板パネルの下部に、底面で開口し、底板パネル掛止位置近傍まで延びる掛止溝が形成されており、
支持板パネルの長手方向の両端側に、前記掛止溝左右外方へ突出する突出片と、該突出片の基端で前記掛止溝の上部に嵌め込まれる切欠部とを有していることを特徴とする。
請求項３の考案では、
側板パネルの外表面に、所望の絵や写真が印刷されると共に、ゆりかごを使用する嬰児の名前、誕生日、メッセージなどを記入する表示部が設けられていることを特徴とする。
請求項４の考案では、
側面パネルの貫通孔の延長上の上部および下部に、組立時に連結板パネルの突出片及びストッパ片の抜止片部が重なって覆われる位置に、掛止完了を示す識別マークが表示されていることを特徴とする。
請求項５の考案では、
組立時に、貫通孔から外方へ突出する連結板パネルの突出片とストッパ片の抜止片部とが隙間無く接触しており、該接触位置に内面に粘着面を有し前記突出片と抜止片部とを一連に覆うことができるシールを貼付してなることを特徴とする。
請求項６の考案では、
ベビーマットが展開時中央の上下に切込み部が形成されており、該切込み部に沿って２つ折りされると略長方形に折り畳まれ、前記中央下方の切込み部から折畳時の短手辺を経て自由端となる折畳時の長手辺の中途位置までファスナで開閉しうるようになっていることを特徴とする。
【考案の効果】
【０００７】
本考案の組立式ゆりかごは、複数のボード状のパネルを用い、簡単な構成でありながら組立強度を高めることができる組立式ゆりかごを提供する。
また、組立式からなるので、嬰児が成長した後は分解し、嬰児の名前、誕生日、メッセージなどを記入した表示部付きの側板パネルを記念パネルとして長い期間使用することができる。
【図面の簡単な説明】
【０００８】
【図１】組立式ゆりかごの斜視図である。
【図２】同正面図である。
【図３】同平面図である。
【図４】（ａ）は側板パネルの外壁面、（ｂ）は内壁面を示す側面図である。
【図５】底板パネルの平面図である。
【図６】支持板パネルの正面図である。
【図７】連結板パネルの正面図である。
【図８】ストッパ片の正面図である。
【図９】側板パネルに連結板パネルをストッパ片を用いて係合する手順を示す説明図であり、（ａ）は連結板パネルの掛止状態、（ｂ）はストッパ片により拘束する状態を示す。
【図１０】（ａ）は折畳状態を示す図、（ｂ）はベビーマットの展開図である。
【図１１】（ａ）は連結板パネルの突出片とストッパ片の抜止片部とをシールで固着した図、（ｂ）はシールの拡大図である。
【考案を実施するための形態】
【０００９】
組立式なので、ゆりかごの不使用時には分解して保存し、使用時には簡単に組み立てて使用に供することができる。
側板パネルに対して連結板パネルを掛止める際にストッパ片を用いることで連結を強固にすることができる。
また、側板パネルには、表示部を設けているので、不使用時には、側板パネルを記念品として再使用することもできる。
以下に、この考案の組立式ゆりかごの好適実施例について、図面を参照しながら説明する。
【実施例１】
【００１０】
図１〜図３に示す本実施例の組立式ゆりかご１は、強化段ボール等の強度を有する紙製、木製、または合成樹脂製などのボード表裏面に任意の印刷を施して裁断された複数のパネルを用いている。
この組立式ゆりかご１は、左右一対の側板パネル２と、１枚の底板パネル３と、前後一対の支持板パネル４と、その外側で前後一対の連結板パネル５と、該連結板パネル５の拘束に使用するストッパ片６とを用いて掛止め、前記底板パネル３上にベビーマット７を載置した構成からなっている。
【００１１】
側板パネル２は、組み立てられたゆりかごが揺動できるように底辺２ａが円弧状に形成された横長のパネルからなっている。
この側板パネル２は、図４に示すように、該側面パネル２の長手方向の両側寄りで縦向きに延びる一対の長穴状の貫通孔２１が形成されており、後述の連結板パネル５を掛止めることができる。
【００１２】
側板パネル２の外表面には、所望の絵や写真が印刷されると共に、ゆりかごを使用する嬰児の名前、誕生日、メッセージなどを記入する表示部８が設けられおり、予め印刷し、あるいは使用時にフェルトペンなどで書き入れることができる。
【００１３】
上記側面パネル２の内壁面には、高さ方向の中途位置で、水平で略等間隔に並んだ複数（図示例では４つ）の凹状の受部２２が形成されている。
また、側面パネル２の底辺の長手方向の中途位置には、底面で開口し、組立てた際の底板パネル３の掛止位置近傍まで上方に延びる掛止溝２３が形成されている。
図示例では掛止溝２３は前記湾曲する底辺２ａに対して略直角となるように図示では斜めに傾斜して形成されている。
【００１４】
底板パネル３は、図５に示すように矩形プレートからなって、通気用の貫通穴３１を等間隔に多数穿設している。
また左右の側面に沿って、前記側面パネル２の受部２２に嵌合させる突片３２を、前記受部２２に対応して突設している。
従って、底板パネル３は、左右一対の側板パネル２間に介設され、前記突片３２を受部２２に嵌合して、側板パネル２の高さ方向の中途位置に略水平に掛止められる。
【００１５】
支持板パネル４は、底板パネル３より長い横幅に設定されて、前記側板パネル２の掛止溝２３に掛け止めて底板パネル３を支持するものであり、図６に示すように、横長なプレートからなっており、その長手方向の両端側にはそれぞれ前記掛止溝２３の外方へ突出する突出片４１と、該突出片４１の基端で前記掛止溝２３の上部に嵌め込まれる切欠部４２とを有している。
【００１６】
上記突出片４１は、前記掛止溝２３より長く設定されており、切欠部４２が形成された個所は掛止溝２３と同じ長さに設定されており、切欠部４２より内側は、上端が前記底板パネル３に接し、又は僅かに離間する位置となるように高く設定されている。
また、支持板パネル４の底辺４ａは、掛止めた際の側板パネル２の底辺２ａと同一面に設定されているので、側板パネル２の底辺２ａに沿った揺動の支障にならない。
【００１７】
連結板パネル５は、一対の側板パネル３の間に縦向きに介設され、前記底板パネル３の前後を覆うと共に、前記一対の側板パネル３に掛止められる。
この連結板パネル５は、前記支持板パネル４と略同じ横幅に設定されており、図７に示すように、連結板パネル５の長手方向の両端側で、前記側板パネル２に形成された貫通孔２１を挿通可能な長さを有して左右外方へ突出する突出片５１と、該突出片５１の基端で前記貫通孔２１の上部または下部（図示例では上部）に嵌め込まれる切欠部５２とを有している。
【００１８】
突出片５１は前記貫通孔２１に挿通可能な長さからなっており、切欠部５２は前記貫通孔２１の上部に相互に嵌め込まれるよう一定の長さだけ窪んでいる。
また前記突出片５１及び切欠部５２が形成された部分の底面５１ａは連結板パネル５の内側の中途位置まで略水平に設定されており、本実施例では、段差部を介して更に下方に延びる連結板パネル５の本体５０の底辺５ａとなっている。
【００１９】
ストッパ片６は、前記貫通孔２１に前記連結板パネル５の切欠部５２を上向きに嵌め込んだ際に生じる貫通孔２１の空間２１ａに略隙間なく嵌合する挿入片部６１と、該挿入片部６１の先端で貫通孔２１の前記空間２１ａより長く下方に延びる抜止片部６２とからなっている（図８、図９参照）。
【００２０】
上記構成からなっているので、図９（ａ）（ｂ）に示すように、前記側板パネル２に連結板パネル５を連結する際は、前記貫通孔２１に前記連結板パネル５の切欠部５２を嵌め込んだ際に生じる貫通孔２１の空間２１ａにストッパ片６の挿入片部６１を略隙間なく挿入する。
【００２１】
連結板パネル５は、突出片５１及び切欠部５２が形成された部分の底面５１ａが水平面に形成されているので、上記挿入片部６１を挿入して整合させ掛止めることができる。
また、抜止片部６２は貫通孔２１の下方に延びる。
これにより連結板パネル５の突出片５１の上部と抜止片部６２の下部がそれぞれ上下で抜け止めとして機能する。
【００２２】
本実施例では、掛止を完全に行うために、側面パネル２の貫通孔２１の延長上の上部および下部に、組立時に連結板パネル５の突出片５１及びストッパ片６の抜止片部６２が重なって覆われる位置に、掛止完了を示す識別マークＭが印刷などで表示されている。
【００２３】
従って、掛止時に、外から前記識別マークＭが表れなければ、掛止が確実に行われたことを確認することができる。
識別マークＭの一部が表れれば、未だ嵌め込み不足であることが視認でき、再度嵌め込みを行って確実な掛止を行うことができる。
【００２４】
上記識別マークＭを、掛止溝２３の延長上の上部にも設ければ、同様に支持板パネル４の嵌め込み具合を確認することができる。
この識別マークＭは、外から視認できればよく、識別マークＭ全部が隠れるものに限らず一部が隠れるものであってもよい。
【００２５】
前記側板パネル２と連結板パネル５の組立時に、貫通孔２１から外方へ突出する連結板パネル５の突出片５１と、ストッパ片６の抜止片部６２とは隙間無く接触するが、この接触位置に内面に粘着面を有し前記突出片５１と抜止片部６２とを一連に覆うことができるシールＳを貼付する。
該シールＳは、強度上はプラスチック製がよいが、誤飲等の際の安全性からは紙製が好ましい。
本実施例でシールＳは、図１１に示すように円形の紙製シールからなっており、中央部分に複数個所の穴ｈを穿設して、誤飲した際の通気孔となるようになっている。
【００２６】
該シールＳは、接触位置の両面にそれぞれ貼付することが好ましい。
これによりストッパ片６の脱落を防ぐことができるので、掛止を確実に拘束することができる。
本実施例では８枚のシールＳを用い、貫通孔２１から突出する全ての突出片５１と抜止片部６２の両面に貼り付けることができる。
【００２７】
本実施例で一例を示すベビーマット７は、底板パネル３上に載置されるマットであって、キルティングやタオル地などの布製品からなっているが、その他の素材であってもよい。
ベビーマット７は、図１０（ｂ）に示すように、展開時中央の上下に切込み部７１、７２が形成されており、該切込み部７１、７２に沿って２つ折りされると図１０（ａ）に示すように略長方形に折り畳まれ、前記中央下方の切込み部７２から折畳時の短手辺を経て自由端となる折畳時の長手辺の中途位置までファスナ７３が形成されている。
そこで、展開した状態でプレイシートとして使用したり、２つ折りしてファスナー７３を閉じた状態でマットして使用したり、上側の上部を図示点線で示すように折り返すことで嬰児用のおくるみとして使用することもできる。
【００２８】
組立式ゆりかごは、上記のように組立式なので、不使用時にはシールＳを剥がして、ストッパ片６を抜き取り、各パネルを分解してコンパクトに収納して保存することができ、使用時には、前記手順で組み立てればよい。
また、嬰児が成長して全く使用しない場合には、分解して廃棄する場合も紙資材であるので環境にやさしい。
【００２９】
また、側板パネルには表示部を有しているので、側板パネルを記念品として室内装飾用パネルとして用いることができる。
その際に前記貫通孔や掛止溝にフックを掛け止めて室内に陳列することができ、また紙資材であるので紐やチェーンを適宜取付具や接着テープで取り付けて使用することができる。
その他、この考案は、上記実施例に限定されるものではなく、要するにこの考案の要旨を変更しない範囲で種々設計変更しうるものである。
【符号の説明】
【００３０】
１    組立式ゆりかご
２    側板パネル
３    底板パネル
４    支持板パネル
５    連結板パネル
６    ストッパ片
７    ベビーマット
８    表示部
２２    受部
２１    貫通孔
２１ａ  空間
２３    掛止溝
３１    貫通穴
３２    突片
４１    突出片
４２    切欠部
５１    突出片
５２    切欠部
６１    挿入片部
６２    抜止片部
Ｍ    識別マーク
Ｓ    シール
【図１】
0003174775.tif 000003
【図２】
0003174775.tif 000004
【図３】
0003174775.tif 000005
【図４】
0003174775.tif 000006
【図５】
0003174775.tif 000007
【図６】
0003174775.tif 000008
【図７】
0003174775.tif 000009
【図８】
0003174775.tif 000010
【図９】
0003174775.tif 000011
【図１０】
0003174775.tif 000012
【図１１】
0003174775.tif 000013